(57)【要約】【目的】  キャラクター形状の外観を阻害しないようにその形状に沿って抜き出した金属製板材にキャラクターの正面および裏面の図柄を対応させて表示し、それ自体のみ又は他の物品との組合わせで多様に楽しむことができる新規なアクセサリーを提案する。【構成】  板材の一面側にはキャラクター正面図柄２を印刷し、他面側には対応する裏面図柄３を印刷し、その上に透明なエポキシコーティングを施した表裏両面印刷板材において、板材の厚さを１〜５ｍｍとすると共に磁石に自在に着脱する鉄系金属を採用し、さらに一般的な取付け構造を付加しないキャラクター外形に沿った形状を抜き出したダイカット構造としたことを特徴とする表裏面図柄表示を施した金属板製キャラクターアクセサリー本体１。【選択図】図１
2007289589.tif 000002
【特許請求の範囲】
【請求項１】
板材の一面側にはキャラクター正面図柄を印刷し、他面側には対応する裏面図柄を印刷し、その上に透明なエポキシコーティングを施した表裏両面印刷板材において、板材の厚さを１〜５ｍｍとすると共に磁石に自在に着脱する鉄系金属を採用し、さらに一般的な取付け構造を付加しないキャラクター外形に沿った形状を抜き出したダイカット構造としたことを特徴とする表裏面図柄表示を施した金属板製キャラクターアクセサリー本体。
【請求項２】
板材の一面側にはキャラクター正面図柄を表示したシールを貼り付け、他面側には対応する裏面図柄を表示したシールを貼り付け、その上に透明なエポキシコーティングを施した表裏両面シール表示板材において、板材の厚さを１〜５ｍｍとすると共に磁石に反応する鉄系金属を採用し、さらに一般的な取付け構造を付加しないキャラクター外形の形状に沿った形状を抜き出したダイカット構造としたことを特徴とする表裏面図柄表示を施した金属板製キャラクターアクセサリー本体。
【請求項３】
磁石と反応する鉄系金属製の他部材との磁力による着脱自在な取付け構造とするために軽量且つ小型化可能なネオジム系の磁石部材との組合わせセットとされていることを特徴とする請求項１または請求項２に記載の表裏面図柄表示を施した金属板製キャラクターアクセサリー本体を有するストラップまたはキーホルダー。
【請求項４】
磁石と反応しない他部材との嵌合による着脱自在な取付け構造とするために小型且つ強力な嵌合保持部材との組合わせセットとされていることを特徴とする請求項１または請求項２に記載の表裏面図柄表示を施した金属板製キャラクターアクセサリー本体を有するストラップまたはキーホルダー。
【請求項５】
軽量且つ小型化可能なネオジム系の磁石との組合わせセットによって、キャラクターアクセサリーをスタンド状態で保持できるようにしたことを特徴とする請求項１〜請求項４の何れか一つに記載の表裏面図柄表示を施した金属板製キャラクターアクセサリー本体とそのスタンドセット商品。
【請求項６】
公知のスイングノック式筆記用具のノック部頂端にノック操作を行うようにスタンド状態で取付けられていることを特徴とする請求項１または請求項２に記載の表裏面図柄表示を施した金属板製キャラクターアクセサリー本体付きボールペンまたはシャープペンシル。
【請求項７】
紙製または合成樹脂製のカード状板材に形成した嵌め込み部に保持しておけるようにしたことを特徴とする請求項１または請求項２に記載の表裏面図柄表示を施したキャラクターアクセサリー本体付きカード。
【請求項８】
請求項１または請求項２に記載のキャラクターアクセサリー本体を嵌め込み保持する板材にストラップやキーホルダー用の接続構造が設けられていることを特徴とする表裏面図柄表示を施したキャラクターアクセサリー本体付きストラップまたはキーホルダー。
【発明の詳細な説明】
【技術分野】
【０００１】  本発明は、キャラクター形状の外観を阻害しないようにその形状に沿って抜き出した金属製板材にキャラクターの正面および裏面の図柄を対応させて表示し、それ自体のみ又は他の物品との組合わせで多様に楽しむことができる新規なアクセサリーを提案するものである。
【背景技術】
【０００２】  さまざまな人気キャラクターをストラップやキーホルダーの付属アクセサリーに採用したり、バッチとして商品化するなどというキャラクター関連商品の開発は盛んに行われているところである。
【特許文献１】
【発明の開示】
【発明が解決しようとする課題】
【０００３】  立体的フィギュアとしてキャラクターを利用する場合には当然全方向からの造形がなされるが、平面的に採用する場合には【０００４】  平面的に採用する際に正面側および裏面側の表示が施される場合もあるが、キャラクターそのものの外観形状を活かしきることができていない。【０００５】  すなわち、両面にキャラクター図柄表示を施してキャラクターの外観形状のみを平面的に抜き出しても、それのみではストラップやキーホルダーの付属アクセサリーとして使うことができず、一方、ストラップやキーホルダーに応用するための通常の接続構造を利用すると、キャラクターの外観形状が著しく不自然なものとなってしまうのである。
【課題を解決するための手段】
【０００６】  （１）板材の一面側にはキャラクター正面図柄を印刷し、他面側には対応する裏面図柄を印刷し、その上に透明なエポキシコーティングを施した表裏両面印刷板材において、板材の厚さを１〜５ｍｍとすると共に磁石に自在に着脱する鉄系金属を採用し、さらに一般的な取付け構造を付加しないキャラクター外形に沿った形状を抜き出したダイカット構造としたことを特徴とする表裏面図柄表示を施した金属板製キャラクターアクセサリー本体。【０００７】  （２）板材の一面側にはキャラクター正面図柄を表示したシールを貼り付け、他面側には対応する裏面図柄を表示したシールを貼り付け、その上に透明なエポキシコーティングを施した表裏両面シール表示板材において、板材の厚さを１〜５ｍｍとすると共に磁石に反応する鉄系金属を採用し、さらに一般的な取付け構造を付加しないキャラクター外形の形状に沿った形状を抜き出したダイカット構造としたことを特徴とする表裏面図柄表示を施した金属板製キャラクターアクセサリー本体。【０００８】  （３）磁石と反応する鉄系金属製の他部材との磁力による着脱自在な取付け構造とするために軽量且つ小型化可能なネオジム系の磁石部材との組合わせセットとされていることを特徴とする請求項１または請求項２に記載の表裏面図柄表示を施した金属板製キャラクターアクセサリー本体を有するストラップまたはキーホルダー。【０００９】  （４）磁石と反応しない他部材との嵌合による着脱自在な取付け構造とするために小型且つ強力な嵌合保持部材との組合わせセットとされていることを特徴とする前記（１）項または（２）項に記載の表裏面図柄表示を施した金属板製キャラクターアクセサリー本体を有するストラップまたはキーホルダー。【００１０】  （５）軽量且つ小型化可能なネオジム系の磁石との組合わせセットによって、キャラクターアクセサリーをスタンド状態で保持できるようにしたことを特徴とする前記（１）項〜（４）項の何れか一つに記載の表裏面図柄表示を施した金属板製キャラクターアクセサリー本体とそのスタンドセット商品。【００１１】  （６）公知のスイングノック式筆記用具のノック部頂端にノック操作を行うようにスタンド状態で取付けられていることを特徴とする前記（１）項または（２）項に記載の表裏面図柄表示を施した金属板製キャラクターアクセサリー本体付きボールペンまたはシャープペンシル。【００１２】  （７）紙製または合成樹脂製のカード状板材に形成した嵌め込み部に保持しておけるようにしたことを特徴とする前記（１）項または（２）項に記載の表裏面図柄表示を施したキャラクターアクセサリー本体付きカード。【００１３】  （８）前記（１）項または（２）項に記載のキャラクターアクセサリー本体を嵌め込み保持する板材にストラップやキーホルダー用の接続構造が設けられていることを特徴とする表裏面図柄表示を施したキャラクターアクセサリー本体付きストラップまたはキーホルダー。
【発明の効果】
【００１４】  板材の一面側にはキャラクター正面図柄を印刷し、他面側には対応する裏面図柄を印刷し、その上に透明なエポキシコーティングを施した表裏両面印刷板材において、板材の厚さを１〜５ｍｍとすると共に磁石に自在に着脱する鉄系金属を採用し、さらに一般的な取付け構造を付加しないキャラクター外形に沿った形状を抜き出したダイカット構造としたことにより、平面的なアクセサリー本体でありながら採用したキャラクターの正面および裏面の図柄を違和感なく表示し、しかもその外観形状を一見立体的フィギュアと見紛うばかりの自然なものとして得ることが可能となる。【００１５】  板材の一面側にはキャラクター正面図柄を表示したシールを貼り付け、他面側には対応する裏面図柄を表示したシールを貼り付け、その上に透明なエポキシコーティングを施した表裏両面シール表示板材において、板材の厚さを１〜５ｍｍとすると共に磁石に反応する鉄系金属を採用し、さらに一般的な取付け構造を付加しないキャラクター外形の形状に沿った形状を抜き出したダイカット構造としたことにより、シール貼り付けによる簡易なキャラクター両面表示を実現し上記と同様な効果を得ることが可能となる。【００１６】  磁石と反応する鉄系金属製の他部材との磁力による着脱自在な取付け構造とするために軽量且つ小型化可能なネオジム系の磁石部材との組合わせセットとされていることにより、本発明アクセサリー本体の利点を損なうことなしにストラップやキーホルダーなどの付属アクセサリーに応用することが可能となる。【００１７】  磁石と反応しない他部材との嵌合による着脱自在な取付け構造とするために小型且つ強力な嵌合保持部材との組合わせセットとされていることにより、磁力による着脱自在関係を利用しなくても本発明のアクセサリー本体をストラップやキーホルダーに応用可能なものとなし得るようになる。【００１８】  軽量且つ小型化可能なネオジム系の磁石との組合わせセットによって、キャラクターアクセサリーをスタンド状態で保持できるようにしたことにより、概観場の不自然な違和感のない本発明アクセサリー本体を好みの場所に立てた上体で飾ることができるようになる。【００１９】  公知のスイングノック式筆記用具のノック部頂端に本発明のキャラクターアクセサリー本体がノック操作を行うようにスタンド状態で取付けられていることにより、フリーなノック操作をアクセサリー本体に対する操作としても自由に行うことができるようになる。【００２０】  紙製または合成樹脂製のカード状板材に形成した嵌め込み部に保持しておけるようにしたことにより、好みに応じてカード形状のアクセサリーとして飾ったり保存することができるようになる。【００２１】  キャラクターアクセサリー本体を嵌め込み保持する板材にストラップやキーホルダー用の接続構造が設けられていることにより、カード形状を利用しながらのストラップやキーホルダーとして商品化することが可能となる。
【発明を実施するための最良の形態】
【００２２】  上記してきたような本発明の具体的な実施の形態の若干例を添付する図面に基づいて以下説明する。
図１は、本発明のキャラクターアクセサリー本体１について説明する斜視図である。すなわち、金属板製のアクセサリー本体１にはその表裏両面にそれぞれキャラクターの正面図柄２と背面図柄３が相互の対応関係を持つようにして描かれている。【００２３】  また、キャラクターアクセサリー本体１は、そのキャラクターの外形形状そのものに沿った形で抜き出されるダイカスト構造とされており、例えば、様々な背景画像の前に置かれても違和感なく自然な状態で溶け込むことができるのである。特に、図柄表面に透明なエポキシコーティングを施すことで、視覚的に立体感が増し、平面金属板上の表現でありながら立体的自然感も実現されるのである。【００２４】  正面図柄２および背面図柄３は金属板上への直接的な印刷で表記してもよく、シール上に表記してそれを貼り付けるものとしてもよい。また、金属板はマグネットの磁力を利用した着脱ができるように、鉄系の金属製とすることが望ましい。【００２５】  本発明のアクセサリー本体１は、表裏面を等しく鑑賞できるようにそのままの状態で立たせたり保持させることは難しく、他の物品と接続させるのも通常の手法では困難である。
そこで、例えば、ストラップ４などとして他の物品との接続関係を持たせる場合には、図２〜図６に示すような本発明用の取付け構造５、６などを採用する必要がある。【００２６】  すなわち、図２はマグネット７の磁力を利用して着脱自在にストラップ接続部材８に取付けるマグネット式取付け構造５の１例を示したものである。ここでのマグネット７は、小型軽量でありながらしっかりとした取付けが可能となるネオジム系磁石を採用することが望ましい。【００２７】  図３から図６には、本発明のキャラクターアクセサリー本体１の特性を十分に活かすように開発した嵌合式取付け構造６の１例を示している。
すなわち、キャラクター頭部上端にはごく小さなサイズとされた嵌め込み構造９が形成され、小型の嵌合部材１０と強固な連結状態を形成するようになっている。嵌め込み構造９は十分に小さなものとされているので、キャラクターの外観に不自然な違和感を与えるようなことはない。【００２８】  このような本発明専用の各種取付け構造５、６と組合わせることで、本発明アクセサリー本体１をストラップやキーホルダーといったものに応用することができ、他の物品との接続なども可能になるのである。【００２９】  また、図７は上記したネオジム系磁石による小型軽量なマグネット部材７を利用して本発明のキャラクターアクセサリー本体１を鉄板製のスタンド台座１１に立たせた状態で保持する場合を示したものである。ネオジム系磁石によるマグネット部材７は、十分に小型化できるので、本発明アクセサリー本体１の外観形状に違和感を与えることはないものである。【００３０】  図８は、フリーな方向からのノック操作を許容するスイングノック式筆記具１２のノック操作部１３に本発明のキャラクターアクセサリー本体１を取付ける場合について示している。この場合、キャラクターアクセサリー本体１に対するあらゆる方向からの倒し込み操作がそのままノック操作となることができるものである。【００３１】  図９および図１０は、本発明のキャラクターアクセサリー本体１を嵌め込み収容して保持できる嵌め込み部１４を形成したカード状部材１５について説明しているものである。本発明アクセサリー本体１を保管したり展示したり、整理した状態で携帯するような場合に、所定のカードサイズの部材１５が利用できるのが好適である。【００３２】  さらに、図１１および図１２には、板状部材１５にストラップやキーホルダーとしての接続構造１６を設ける場合の例を示す。このような形態とすることで、保管性や展示性に優れながら携行性にも優れた商品として本発明品を展開することが可能となるのである。
【産業上の利用可能性】
【００３３】  以上説明してきたような本発明によるときは、平面形状でありながら表裏面表示を施したキャラクターアクセサリーを外観上の違和感なく若干の立体感をも持たせて実現することができるものである。【００３３】  しかも、その特性を損なうことなく専用の取付け構造と組合わせることで多様な商品への応用が実現できるものであり、コレクション性や趣味性を加味した新たな商品展開が可能となるものである。【００３４】  したがって、多様な商品展開の可能性を示すことで市場に新たな需要を喚起するものとして期待され、産業上の利用可能性において優れた発明であると理解されるべきものである。
【図面の簡単な説明】
【００３５】
【図１】  本発明のキャラクターアクセサリー本体について説明する斜視図である。
【図２】  マグネット７の磁力を利用して着脱自在にストラップ接続部材に取付けるマグネット式取付け構造の１例を示したものである。
【図３】  本発明のキャラクターアクセサリー本体の特性を十分に活かすように開発した嵌合式取付け構造の１例を示したものである。
【図４】  上記嵌合式取付け構造の斜視図的説明図である。
【図５】  嵌合式取付け構造部分の拡大図である。
【図６】  嵌合式取付け構造の組合わせ関係を示した拡大図である。
【図７】  マグネットによるスタンド台座を利用した状態を示す説明図である。
【図８】  スイングペンのノック操作部に本発明のアクセサリー本体を取付ける応用例を示した図である。
【図９】  カード状板材に本発明アクセサリー本体を嵌め込み保持させた状態の１例を示す図である。
【図１０】  図９とは別のキャラクターアクセサリー本体をカード状板材に嵌め込み保持した状態を示す図である。
【図１１】  ストラップ接続部を設けたカード状部材に本発明アクセサリー本体を保持させた状態を示す図である。
【図１２】  図１１とは別のキャラクターアクセサリー本体を保持させた場合の説明図である。
【符号の説明】
【００３６】１  キャラクターアクセサリー本体
２  正面図柄
３  背面図柄
４  ストラップ
５  マグネット式取付け構造
６  嵌合式取付け構造
７  マグネット
８  ストラップ接続部
９  嵌め込み構造
１０  小型の嵌合部材
１１  スタンド台座
１２  スイングノック式筆記具
１３  ノック操作部
１４  嵌め込み部
１５  カードサイズ部材（板状部材）
【図１】
2007289589.tif 000003
【図２】
2007289589.tif 000004
【図３】
2007289589.tif 000005
【図４】
2007289589.tif 000006
【図５】
2007289589.tif 000007
【図６】
2007289589.tif 000008
【図７】
2007289589.tif 000009
【図８】
2007289589.tif 000010
【図９】
2007289589.tif 000011
【図１０】
2007289589.tif 000012
【図１１】
2007289589.tif 000013
【図１２】
2007289589.tif 000014